(57)【要約】【課題】モバイルカメラ等に好適な小型、低コストで、光学性能の高い広角レンズを提供する。【解決手段】負の屈折力を有しかつ像面側に非球面Ｓ２を有する第１レンズ１、正の屈折力を有する第２レンズ２、所定の口径を画定する開口絞りＳＤ、第３レンズ３及び第４レンズ４を接合しかつ全体として負の屈折力を有する接合レンズ、正の屈折力を有しかつ物体側及び像面側の両方に非球面Ｓ９，Ｓ１０を有するべく樹脂材料により形成された第５レンズ５が、物体側から像面側に向けて順に配列されている。これにより、７５度以上の適当な画角（２ω）を確保でき、かつ、レンズ全長が長くなるのを抑えることができ、諸収差を良好に補正することができ、低コスト、広画角、小型、高性能の要求を満たす広角レンズを得ることができる。【選択図】  図１
2006145770.tif 000002
【特許請求の範囲】
【請求項１】
物体側から像面側に向けて順に、
負の屈折力を有しかつ像面側に非球面を有する第１レンズと、
正の屈折力を有する第２レンズと、
所定の口径を画定する開口絞りと、
第３レンズ及び第４レンズを接合しかつ全体として負の屈折力を有する接合レンズと、
正の屈折力を有しかつ物体側及び像面側の両方に非球面を有するべく樹脂材料により形成された第５レンズとからなる
ことを特徴とする広角レンズ。
【請求項２】
前記第１レンズ及び第５レンズの非球面は、周辺部に向かうに連れて屈折力が弱くなるように形成されている
ことを特徴とする請求項１記載の広角レンズ。
【請求項３】
前記接合レンズは、正の屈折力を有する正レンズと、負の屈折力を有する負レンズと、を含み、前記正レンズのアッベ数をνｓ、前記負レンズのアッベ数をνｆとするとき、次の条件式（１）を満足することを特徴とする請求項１又は２に記載の広角レンズ。
（１）  │νｆ−νｓ│＞３０
【請求項４】
前記第１レンズから結像面までのレンズ系の焦点距離をｆ、前記第５レンズの後面から結像面までの空気換算距離をＢＦとするとき、次の条件式（２）を満足することを特徴とする請求項１ないし３いずれかに記載の広角レンズ。
（２）  １．５＜ＢＦ／ｆ＜２．０
【請求項５】
前記第１レンズの像面側の面の曲率半径をＲ２、前記第２レンズの物体側の面の曲率半径をＲ３とするとき、次の条件式（３）を満足することを特徴とする請求項１ないし４いずれかに記載の広角レンズ。
（３）  ０．４＜Ｒ２／Ｒ３＜０．５
【発明の詳細な説明】
【技術分野】
【０００１】
本発明は、ＣＣＤ等の撮像素子を備えたデジタルスチルカメラ、デジタルビデオカメラ等に適用される小型の広角レンズに関し、特に、監視カメラ、車載用カメラ、あるいは、携帯電話機、携帯情報端末機（ＰＤＡ）、パーソナルコンピュータ等に搭載あるいは接続して用いられるカメラ等に好適な小型の広角レンズに関する。
【背景技術】
【０００２】
近年のデジタルスチルカメラ等の普及に伴い、これらのカメラに適用される広角レンズとしては、高性能化、低コスト化、コンパクト化等の要求が強くなってきている。ところで、このような要求を満たす従来の広角レンズの多くは、バックフォーカスを十分に確保し、射出角度を小さくした、レトロフォーカスタイプのものを採用している。
【０００３】
監視カメラ、ＣＣＤカメラ等に適用される従来の広角レンズとしては、Ｆナンバーが１．６程度で、画角が６５°程度となるように、物体側に凸面を向けたメニスカス形状の負の屈折力をもつ第１レンズ、物体側に凸面を向けたメニスカス形状の負の屈折力をもつ第２レンズ、両凸形状の正の屈折力をもつ第３レンズ、両凹形状の負の屈折力をもつ第４レンズ、両凸形状の正の屈折力をもつ第５レンズ、両凸形状の正の屈折力をもつ第６レンズからなる６枚構成のものが知られている（例えば、特許文献１参照）。
しかしながら、この広角レンズでは、レンズの構成枚数が６枚であり、全長の短縮化、コンパクト化、低コスト化等の点で限界があり、上記の要求を満足するものではない。
【０００４】
また、従来の他の広角レンズとしては、全長の短縮化を図るべく、物体側に凹面を向けた負の屈折力をもつ第１レンズ、少なくとも一方の面が非球面で正の屈折力をもつ第２レンズ、負の屈折力をもつ第３レンズ、少なくとも一方の面が非球面で像面側に凸面を向けた正の屈折力をもつ第４レンズからなる４枚構成のものが知られている（例えば、特許文献２参照）。
しかしながら、この広角レンズでは、色収差が良好に補正されておらず、画素数の多い高性能の固体撮像素子を備えたカメラに適用した場合、十分な光学特性を得ることができない。
【０００５】
また、従来の他の広角レンズとしては、高性能化、低コスト化を図るべく、物体側に非球面を設けた負の屈折力をもつ第１レンズ、正の屈折力をもつ第２レンズ、負の屈折力をもつ第３レンズ、第３レンズに接合された正の屈折力をもつ第４レンズ、正の屈折力をもつ第５レンズからなり、少なくとも２枚のレンズを樹脂材料（プラスチック）により形成したものが知られている（例えば、特許文献３参照）。
しかしながら、この広角レンズでは、最も物体側に位置する第１レンズの物体側に非球面を設けているため、外部からの接触等により傷付き易い等の欠点がある。
【０００６】
【特許文献１】特開平０８−２２０４２８号公報
【特許文献２】特開２００２−２９６４９８号公報
【特許文献３】特開平１１−１４２７３０号公報
【発明の開示】
【発明が解決しようとする課題】
【０００７】
本発明は、上記従来技術の問題点に鑑みて成されたものであり、その目的とするところは、特に、監視カメラ、車載用カメラ、あるいは、携帯電話機、携帯情報端末機（ＰＤＡ）、パーソナルコンピュータ等に搭載あるいは接続して用いられるモバイルカメラ等に好適となるように、小型化、低コスト化、高性能化等を図れる広角レンズを提供することにある。
具体的には、５枚構成で加工が容易な樹脂材料（プラスチック材料）を用い、レンズの全長がバックフォーカスを含めないで１０ｍｍ以下であり、ローパスフィルタ等の配置のためにバックフォーカスが５ｍｍ以上あり、Ｆナンバーが２．８程度のレンズ明るさをもち、画角（２ω）が７５度以上で、２００万〜３００万の高密度の固体撮像素子にも適した、高性能でコンパクトかつ安価な単焦点の広角レンズを提供することにある。
【課題を解決するための手段】
【０００８】
本発明の広角レンズは、物体側から像面側に向けて順に、負の屈折力を有しかつ像面側に非球面を有する第１レンズと、正の屈折力を有する第２レンズと、所定の口径を画定する開口絞りと、第３レンズ及び第４レンズを接合しかつ全体として負の屈折力を有する接合レンズと、正の屈折力を有しかつ物体側及び像面側の両方に非球面を有するべく樹脂材料により形成された第５レンズとからなることを特徴としている。
この構成によれば、第１レンズを負の屈折力とすることで、７５度以上の適当な画角（２ω）を確保でき、かつ、レンズ全長が長くなるのを抑えることができる。
また、第１レンズ及び第５レンズに非球面を設けることで、諸収差特に歪曲収差を良好に補正することができ、又、第１レンズの非球面は像面側に設けることで、広画角化を達成でき、外部からの接触等による傷付き等を防止できる。
また、レトロフォーカスタイプのレンズ配置とすることで、赤外線カットフィルタ、ローパスフィルタ等を配置するためのバックフォーカスを十分確保できる。
さらに、樹脂材料で形成したレンズを採用することで、生産コストの低減、軽量化を行え、非球面の形成も容易に行えるため、収差補正の自由度が増した分コンパクトな構成が可能になり、全体として、低コスト、広画角、小型、高性能の要求を満たす広角レンズを得ることができる。
【０００９】
上記構成において、第１レンズ及び第５レンズの非球面は、周辺部に向かうに連れて屈折力が弱くなるように形成されている、構成を採用することができる。
この構成によれば、諸収差、特に歪曲収差を良好に補正することができ、より光学性能の高い広角レンズを得ることができる。
【００１０】
上記構成において、接合レンズは、正の屈折力を有する正レンズと、負の屈折力を有する負レンズと、を含み、正レンズのアッベ数をνｓ、負レンズのアッベ数をνｆとするとき、次の条件式（１）
（１）  │νｆ−νｓ│＞３０
を満足する、構成を採用することができる。
この構成によれば、接合レンズを正レンズと負レンズの接合により形成することで、レンズの加工の容易化を図りつつ、条件式（１）を満たすことにより、諸収差、特に高解像度に影響を及ぼす色収差を良好に補正することができ、より光学性能の高い広角レンズを得ることができる。
【００１１】
上記構成において、第１レンズから結像面までのレンズ系の焦点距離をｆ、第５レンズの後面から結像面までの空気換算距離をＢＦとするとき、次の条件式（２）
（２）  １．５＜ＢＦ／ｆ＜２．０
を満足する、構成を採用することができる。
この構成によれば、レンズ系の焦点距離と第５レンズの後面から結像面までの空気換算距離（すなわち、バックフォーカス）との関係を規定した条件式（２）を満たすことにより、諸収差、特に歪曲収差を良好に補正することができ、又、レンズ系全長の短縮化を図りつつも、ＣＣＤ等の固体撮像素子に必要な赤外線カットフィルタ、ローパスフィルタ等を配置するために要求される光軸上の間隔（バックフォーカス）を確保することができる。
【００１２】
上記構成において、第１レンズの像面側の面の曲率半径をＲ２、第２レンズの物体側の面の曲率半径をＲ３とするとき、次の条件式（３）
（３）  ０．４＜Ｒ２／Ｒ３＜０．５
を満足する、構成を採用することができる。
この構成によれば、第１レンズの像面側の曲率半径と第２レンズの物体側の曲率半径との関係を規定する条件式（３）を満たすことにより、諸収差、特に歪曲収差を良好に補正することができ、又、レンズ系全長の短縮化を図りつつも、ＣＣＤ等の固体撮像素子に必要な赤外線カットフィルタ、ローパスフィルタ等を配置するために要求される光軸上の間隔（バックフォーカス）を確保することができる。
【発明の効果】
【００１３】
以上述べたように、本発明の広角レンズによれば、監視カメラ、車載用カメラ、あるいは、携帯電話機、携帯情報端末機（ＰＤＡ）、パーソナルコンピュータ等に適用されるモバイルカメラ等に好適な小型で、低コスト化、高性能化等が達成された広角レンズを得ることができる。特に、加工が容易な樹脂材料（プラスチック材料）を用い、レンズの全長がバックフォーカスを含めないで１０ｍｍ以下であり、ローパスフィルタ等の配置のためにバックフォーカスが５ｍｍ以上あり、Ｆナンバーが２．８程度のレンズ明るさで、画角（２ω）が７５度以上で、２００万〜３００万の高密度の固体撮像素子にも適した、高性能でコンパクトかつ安価な単焦点の広角レンズを得ることができる。
【発明を実施するための最良の形態】
【００１４】
以下、本発明の実施の形態について、添付図面を参照しつつ説明する。
図１及び図２は、本発明に係る広角レンズの一実施形態を示すものであり、図１はその基本構成図、図２は光路図である。
この実施形態に係る広角レンズでは、図１に示すように、負の屈折力を有する第１レンズ１、正の屈折力を有する第２レンズ２、所定の口径を画定する開口絞りＳＤ、第３レンズ３及び第４レンズ４を接合しかつ全体として負の屈折力を有する接合レンズ、正の屈折力を有する第５レンズ５が、物体側から像面側に向けて順に配列されている。
また、上記構成において、第５レンズ５の後方（像面側寄り）には、赤外線カットフィルタ、ローパスフィルタ等の役割をなすガラスフィルタ６，７が配置され、ガラスフィルタ７の後方に固体撮像素子としてのＣＣＤの結像面Ｐが配置されている。
すなわち、この広角レンズにおいては、第１レンズ１〜第５レンズ５までが一体となって光軸方向に移動して、結像面Ｐに対してフォーカシングを行なうようになっている。
【００１５】
ここで、第１レンズ１から結像面Ｐまでをレンズ系とし、第１レンズ１の前面（物体側の面）から第５レンズ５の後面（像面側の面）までの長さ（光軸Ｌ上の距離）をレンズ全長とし、第１レンズ１の前面（物体側の面）から結像面Ｐまでの長さ（光軸Ｌ上の距離）をレンズ系全長とし、レンズ系の焦点距離をｆ、第５レンズ５の後面（像面側の面）から結像面Ｐまでの光軸Ｌ上の空気換算距離をバックフォーカスＢＦで表す。
また、第１レンズ１〜第５レンズ５、ガラスフィルタ６，７においては、図１に示すように、それぞれの面をＳｉ（ｉ＝１〜１４）、それぞれの面Ｓｉの曲率半径をＲｉ（ｉ＝１〜１４）、ｄ線に対する屈折率をＮｉ及びアッベ数をνｉ（ｉ＝１〜７）で表す。
さらに、第１レンズ１〜ガラスフィルタ７までのそれぞれの光軸Ｌ上での距離（厚さ、空気間隔）をＤｉ（ｉ＝１〜１３）で表す。
【００１６】
第１レンズ１は、ガラス材料により形成されて、物体側に凸面Ｓ１及び像面側に凹面Ｓ２を向けた負の屈折力を有するメニスカス形状のレンズである。そして、物体側の凸面Ｓ１は球面に、かつ、像面側の凹面Ｓ２は非球面に形成されている。
このように、第１レンズ１の像面側に非球面Ｓ２を設けることで、諸収差特に歪曲収差を良好に補正することができ、又、広画角化を達成できる。また、非球面は、物体側の凸面Ｓ１ではなく、像面側の凹面Ｓ２に設けることで、外部からの接触等による傷付き等を防止できる。さらに、非球面Ｓ２は、周辺部に向かうに連れて屈折力が弱くなるように形成されている。これにより、諸収差、特に歪曲収差をさらに良好に補正することができ、より光学性能の高い広角レンズを得ることができる。
【００１７】
第２レンズ２は、ガラス材料により形成されて、物体側に凸面Ｓ３及び像面側に凸面Ｓ４を向けた正の屈折力を有する両凸形状のレンズである。そして、物体側及び像面側の両凸面Ｓ３，Ｓ４は球面に形成されている。
【００１８】
第３レンズ３は、ガラス材料により形成されて、物体側に凹面Ｓ６及び像面側に凹面Ｓ７を向けた負の屈折力を有する両凹形状のレンズである。そして、物体側及び像面側の両凹面Ｓ６，Ｓ７は球面に形成されている。
第４レンズ４は、ガラス材料により形成されて第３レンズ３の像面側に接合され、物体側に凸面Ｓ７及び像面側に凸面Ｓ８を向けた正の屈折力を有する両凸形状のレンズである。そして、物体側及び像面側の両凸面Ｓ７，Ｓ８は球面に形成されている。
そして、第３レンズ３（負の屈折力を有する負レンズ）及び第４レンズ４（正の屈折力を有する正レンズ）は、全体として負の屈折力を有する接合レンズを形成している。
これにより、レンズの加工性を確保でき、又、色収差を良好に補正することができる。仮に、接合レンズを単一のレンズで代用すると、色収差の補正が困難になり、又、レンズの両面の曲率半径が非常に近い値であることから、自動芯取りが困難となる。そこで、第３レンズ３と第４レンズ４との接合による接合レンズを採用することにより、別々に製造して芯取りを行い、その後接合して一体化することにより、全体としてレンズの加工性を向上させることができる。
【００１９】
第５レンズ５は、樹脂材料（プラスチック材料）により形成されて、物体側に凸面Ｓ９及び像面側に凸面Ｓ１０を向けた正の屈折力を有する両凸形状のレンズである。そして、物体側及び像面側の両凸面Ｓ９，Ｓ１０は非球面に形成されている。
このように、樹脂材料を用いることにより、生産コストを低減でき、軽量化でき、非球面等の加工性を向上させることができる。
また、像面側に最も近い第５レンズ５に非球面Ｓ９，Ｓ１０を設けることで、主に上光軸側のコマ収差を補正しつつ諸収差を良好に補正することができる。ここで、非球面Ｓ９，Ｓ１０は、周辺部に向かうに連れて屈折力が弱くなるように形成されている。これにより、諸収差、特に歪曲収差をさらに良好に補正することができ、より光学性能の高い広角レンズを得ることができる。
仮に、第５レンズ５の両面Ｓ９，Ｓ１０を球面にすると、同等の効果を得るためにさらに２枚程度のレンズが必要になり、レンズ系の薄型化が困難となる。そこで、上記のように両面Ｓ９，Ｓ１０を非球面とすることで、薄型化を達成しつつ、レンズ全長が短くなると発生する球面収差、非点収差、コマ収差等の諸収差を良好に補正することができる。
【００２０】
ここで、非球面を表す式としては、次式で規定される。
Ｚ＝Ｃｙ２／［１＋（１−εＣ２ｙ２）１／２］＋Ｄｙ４＋Ｅｙ６＋Ｆｙ８＋Ｇｙ１０＋Ｈｙ１２、ただし、Ｚ：非球面の頂点における接平面から、光軸Ｌからの高さがｙの非球面上の点までの距離、ｙ：光軸Ｘからの高さ、Ｃ：非球面の頂点における曲率（１／Ｒ）、ε：円錐定数、Ｄ，Ｅ，Ｆ，Ｇ，Ｈ：非球面係数である。
【００２１】
上記構成をなす広角レンズによれば、第１レンズ１を負の屈折力とすることで、７５度以上の適当な画角を確保でき、かつ、レンズ全長が長くなるのを抑えることができ、又、レトロフォーカスタイプのレンズ配置とすることで、レンズ系全長の短縮化を図りつつも、赤外線カットフィルタ、ローパスフィルタ等を配置するためのバックフォーカスを十分確保できる。
さらに、樹脂材料で形成したレンズを採用することで、生産コストの低減、軽量化を行え、非球面の形成も容易に行えるため、収差補正の自由度が増した分コンパクトな構成が可能になり、全体として、低コスト、広画角、小型、高性能の要求を満たす広角レンズを得ることができる。
【００２２】
上記構成の広角レンズにおいては、接合レンズを構成する第３レンズ３（負の屈折力を有する負レンズ）のアッベ数νｆ（＝ν３）と、第４レンズ４（正の屈折力を有する正レンズ）のアッベ数νｓ（＝ν４）とが、好ましくは、次の条件式（１）
（１）  │νｆ−νｓ│＞３０
を満足するように形成される。
条件式（１）は、接合レンズを構成する負レンズと正レンズとのアッベ数の関係を規定したものである。条件式（１）を満たすことにより、諸収差、特に高解像度に影響を及ぼす色収差を良好に補正することができ、より光学性能の高い広角レンズを得ることができる。
【００２３】
また、上記構成の広角レンズにおいては、第１レンズ１から結像面Ｐまでのレンズ系の焦点距離ｆと、第５レンズ５の後面Ｓ１０から結像面Ｐまでの空気換算距離（バックフォーカス）ＢＦとが、好ましくは、次の条件式（２）
（２）  １．５＜ＢＦ／ｆ＜２．０
を満足するように形成される。
条件式（２）は、レンズ系の焦点距離と第５レンズ５の後面Ｓ１０から結像面Ｐまでの空気換算距離（すなわち、バックフォーカスＢＦ）との関係を規定したものである。条件式（２）を満たすことにより、諸収差、特に歪曲収差を良好に補正することができ、又、レンズ系全長の短縮化を図りつつも、ＣＣＤ等の固体撮像素子に必要な赤外線カットフィルタ、ローパスフィルタ等を配置するために要求される光軸上の間隔（バックフォーカス）を確保することができる。
【００２４】
さらに、上記構成の広角レンズにおいては、第１レンズ１の像面側の面Ｓ２の曲率半径Ｒ２と、第２レンズ２の物体側の面Ｓ３の曲率半径Ｒ３とが、好ましくは、次の条件式（３）
（３）  ０．４＜Ｒ２／Ｒ３＜０．５
を満足するように形成される。
条件式（３）は、第１レンズ１の像面側の面Ｓ２の曲率半径と第２レンズ２の物体側の面Ｓ３の曲率半径との関係を規定したものである。条件式（３）を満たすことにより、諸収差、特に歪曲収差を良好に補正することができ、又、レンズ系全長の短縮化を図りつつも、ＣＣＤ等の固体撮像素子に必要な赤外線カットフィルタ、ローパスフィルタ等を配置するために要求される光軸上の間隔（バックフォーカス）を確保することができる。
【００２５】
上記構成をなす広角レンズの具体的な数値による実施例を、実施例１〜実施例３として以下に示す。
【実施例１】
【００２６】
実施例１における主な仕様諸元は表１に、種々の数値データ（設定値）は表２に、非球面に関する数値データは表３にそれぞれ示される。
また、条件式（１），（２），（３）の数値データは、
（１）│νｆ−νｓ│＝２３．８−５４．７＝３０．９
（２）ＢＦ／ｆ＝１５．０／３．６３＝４．１３
（３）Ｒ２／Ｒ３＝２．０８／４．７１＝０．４４
となる。
また、実施例１における球面収差、非点収差、歪曲収差（ディスト−ション）、倍率色収差に関する収差線図は、図３に示されるような結果となる。尚、図３において、ｄはｄ線による収差、ｇはｇ線による収差、ｃはｃ線による収差をそれぞれ示し、又、Ｓはサジタル平面での収差、Ｍはメリジオナル平面での収差を示す。
【００２７】
【表１】
2006145770.tif 000003
【００２８】
【表２】
2006145770.tif 000004
【００２９】
【表３】
2006145770.tif 000005
【００３０】
以上の実施例１においては、バックフォーカスを含まない状態でのレンズ全長が９．３０ｍｍ、バックフォーカス（空気換算）が５．２１ｍｍ、射出瞳位置が−１２．５ｍｍ、Ｆナンバーが２．８０、画角（２ω）が７８．４°となり、諸収差が良好に補正され、高密度、高画素の撮像素子に好適な高性能かつコンパクトで安価な広画角の広角レンズが得られる。
【実施例２】
【００３１】
実施例２における主な仕様諸元は表４に、種々の数値データ（設定値）は表５に、非球面に関する数値データは表６にそれぞれ示される。
また、条件式（１），（２），（３）の数値データは、
（１）│νｆ−νｓ│＝２３．８−５４．７＝３０．９
（２）ＢＦ／ｆ＝１５．０／３．６３＝４．１３
（３）Ｒ２／Ｒ３＝２．０７／４．５９＝０．４５
となる。
また、実施例２における球面収差、非点収差、歪曲収差（ディスト−ション）、倍率色収差に関する収差線図は、図４に示されるような結果となる。尚、図４において、ｄはｄ線による収差、ｇはｇ線による収差、ｃはｃ線による収差をそれぞれ示し、又、Ｓはサジタル平面での収差、Ｍはメリジオナル平面での収差を示す。
【００３２】
【表４】
2006145770.tif 000006
【００３３】
【表５】
2006145770.tif 000007
【００３４】
【表６】
2006145770.tif 000008
【００３５】
以上の実施例２においては、バックフォーカスを含まない状態でのレンズ全長が９．５６ｍｍ、バックフォーカス（空気換算）が５．４４ｍｍ、射出瞳位置が−１３．１ｍｍ、Ｆナンバーが２．８０、画角（２ω）が７６．３°となり、諸収差が良好に補正され、高密度、高画素の撮像素子に好適な高性能かつコンパクトで安価な広画角の広角レンズが得られる。
【実施例３】
【００３６】
実施例３における主な仕様諸元は表７に、種々の数値データ（設定値）は表８に、非球面に関する数値データは表９にそれぞれ示される。
また、条件式（１），（２），（３）の数値データは、
（１）│νｆ−νｓ│＝２３．８−６４．１＝４０．３
（２）ＢＦ／ｆ＝１５．０／３．６３＝４．１３
（３）Ｒ２／Ｒ３＝２．０４／４．４１＝０．４６
となる。
また、実施例３における球面収差、非点収差、歪曲収差（ディスト−ション）、倍率色収差に関する収差線図は、図５に示されるような結果となる。尚、図５において、ｄはｄ線による収差、ｇはｇ線による収差、ｃはｃ線による収差をそれぞれ示し、又、Ｓはサジタル平面での収差、Ｍはメリジオナル平面での収差を示す。
【００３７】
【表７】
2006145770.tif 000009
【００３８】
【表８】
2006145770.tif 000010
【００３９】
【表９】
2006145770.tif 000011
【００４０】
以上の実施例３においては、バックフォーカスを含まない状態でのレンズ全長が８．１７ｍｍ、バックフォーカス（空気換算）が６．８２ｍｍ、射出瞳位置が−１２．９ｍｍ、Ｆナンバーが２．８０、画角（２ω）が７８．６°となり、諸収差が良好に補正され、高密度、高画素の撮像素子に好適な高性能かつコンパクトで安価な広画角の広角レンズが得られる。
【産業上の利用可能性】
【００４１】
以上述べたように、本発明の広角レンズは、小型、薄型、低コストで、光学性能が高いため、監視カメラ、車載用カメラ、あるいは、携帯電話機、携帯情報端末機（ＰＤＡ）、パーソナルコンピュータ等のモバイルカメラ等に適しているのは勿論のこと、小型化、低コスト化等が要求されるその他の単焦点レンズ光学系においても有用である。
【図面の簡単な説明】
【００４２】
【図１】本発明に係る広角レンズの一実施形態を示す構成図である。
【図２】図１に示す広角レンズの光路図である。
【図３】実施例１に係る広角レンズの球面収差、非点収差、ディスト−ション、倍率色収差の各収差図を示す。
【図４】実施例２に係る広角レンズの球面収差、非点収差、ディスト−ション、倍率色収差の各収差図を示す。
【図５】実施例３に係る広角レンズの球面収差、非点収差、ディスト−ション、倍率色収差の各収差図を示す。
【符号の説明】
【００４３】
１  第１レンズ
２  第２レンズ
３  第３レンズ
４  第４レンズ
５  第５レンズ
６，７  ガラスフィルタ
ＳＤ  開口絞り
Ｄ１〜Ｄ１３  光軸上の間隔
Ｒ１〜Ｒ１４  曲率半径
Ｓ１〜Ｓ１４  面
ν３  第３レンズのアッベ数（負レンズのアッベ数νｆ）
ν４  第４レンズのアッベ数（正レンズのアッベ数νｓ）
ｆ  レンズ系の焦点距離
ＢＦ  バックフォーカス
Ｌ  光軸
【図１】
2006145770.tif 000012
【図２】
2006145770.tif 000013
【図３】
2006145770.tif 000014
【図４】
2006145770.tif 000015
【図５】
2006145770.tif 000016